(57)【要約】【課題】ユーザに特段の制約を課すことなく再生中の音量を適切な音量に自動的に変更する。【解決手段】音量制御装置（１）は、音量制御装置（１）が設けられた端末機器（１０）からユーザ（２０）が離れたことを判定する離間判定部（１１）と、離間判定部（１１）によって端末機器（１０）からユーザ（２０）が離れたことが判定された場合に、スピーカ（５）により出力される音量を変更する音量変更部（１２）を備える。【選択図】図１
2015207826.tif 000002
【特許請求の範囲】
【請求項１】
スピーカから出力される音量を制御する音量制御装置であって、
上記音量制御装置が設けられた端末機器からユーザが離れたことを判定する離間判定手段と、
上記離間判定手段によって上記端末機器からユーザが離れたことが判定された場合に、上記スピーカにより出力される音量を変更する音量変更手段と、を備えることを特徴とする音量制御装置。
【請求項２】
上記音量変更手段は、上記スピーカが出力する音量を、上記音量変更手段により変更される前の上記音量に対して所定の音量を加算した音量に変更することを特徴とする請求項１に記載の音量制御装置。
【請求項３】
上記音量変更手段は、上記スピーカが出力する音量を、上記音量変更手段により変更される前の上記音量から、所定の音量に変更することを特徴とする請求項１に記載の音量制御装置。
【請求項４】
上記音量変更手段は、上記スピーカが出力する音量を、上記音量変更手段により変更される前の上記音量に対して、所定の割合を乗算した音量に変更することを特徴とする請求項１に記載の音量制御装置。
【請求項５】
上記音量制御装置は、上記スピーカにおける音声の出力口が塞がれていることを判定する閉塞判定手段をさらに備え、
上記閉塞判定手段によって、上記出力口が塞がれていると判定された場合に、上記音量変更手段は、上記スピーカにより出力される音量を上げることを特徴とする請求項１から４の何れか１項に記載の音量制御装置。
【請求項６】
上記音量制御装置は、上記スピーカにおける音声の出力口が向いている方向を検知し、当該方向にユーザが存在するか否かを判定する方向検知手段をさらに備え、
上記方向検知手段によって、上記出力口が向いている方向にユーザが存在しないと判定された場合に、上記音量変更手段は、上記スピーカにより出力される音量を上げることを特徴とする請求項１から４の何れか１項に記載の音量制御装置。
【請求項７】
上記音量制御装置は、上記ユーザと上記端末機器との距離を測定する距離測定手段をさらに備え、
上記音量変更手段は、上記距離測定手段により測定された距離に応じて音量を調整することを特徴とする請求項１から６の何れか１項に記載の音量制御装置。
【請求項８】
上記端末機器からユーザが離れたことを検知する離間検知手段と、
請求項１から７の何れか１項に記載の音量制御装置と、を備える端末機器。
【請求項９】
請求項１から７の何れか１項に記載の音量制御装置としてコンピュータを機能させるための制御プログラムであって、コンピュータを上記各手段として機能させるための制御プログラム。
【発明の詳細な説明】
【技術分野】
【０００１】
本発明は、スピーカから出力される音量を制御する音量制御装置、音量制御装置を備えた端末機器、および、音量制御装置として機能させるための制御プログラムに関する。
【背景技術】
【０００２】
近年、スマートフォンなどの端末機器の機能が多様化することに伴って、端末機器を用いて音楽を聴くことが可能となっている。例えば、特許文献１には、通信端末がクレードルに装着されたことの検知に応じて、当該通信端末の動作態様を、当該通信端末の動作態様の設定内容に基づいて変更する構成が開示されている。また、特許文献２には、コンテンツを記憶したソース機器と、当該コンテンツを再生するホームオーディオとの距離に応じて、再生中のコンテンツの出力レベルを調整する構成が開示されている。
【先行技術文献】
【特許文献】
【０００３】
【特許文献１】特開２０１３−１３５３７５号公報（２０１３年７月８日公開）
【特許文献２】特開２０１３−９３７５３号公報（２０１３年５月１６日公開）
【発明の概要】
【発明が解決しようとする課題】
【０００４】
しかしながら、特許文献１では、通信端末がクレードルに装着されるという限定された状況においてでしか、ユーザの利便性の向上を図れないといった問題がある。また、特許文献２では、ホームオーディオと無線通信可能なソース機器をユーザが携行する必要があるため、当該ソース機器をユーザが携行していない場合には、再生中のコンテンツの出力レベルが調整されないといった問題がある。
【０００５】
つまり、特許文献１および特許文献２のいずれについても、何らかの制約をユーザに課した状態でないと出力音量の調整が可能とならず、ユーザの利便性の向上が望まれる。そこで、本発明は、上記の問題を解決するためになされたものであり、その目的は、ユーザに特段の制約を課すことなく再生中の音量を適切な音量に自動的に変更する音量制御装置を提供することにある。
【課題を解決するための手段】
【０００６】
上記の課題を解決するために、本発明の一態様に係る音量制御装置は、スピーカから出力される音量を制御する音量制御装置であって、上記音量制御装置が設けられた端末機器からユーザが離れたことを判定する離間判定手段と、上記離間判定手段によって上記端末機器からユーザが離れたことが判定された場合に、上記スピーカにより出力される音量を変更する音量変更手段を備える。
【発明の効果】
【０００７】
本発明の一態様によれば、ユーザに特段の制約を課すことなく再生中の音量を適切な音量に自動的に変更することが可能となる。
【図面の簡単な説明】
【０００８】
【図１】本発明の一実施形態に係る音量制御装置の一例を示すブロック図である。
【図２】（ａ）は、本発明の一実施形態に係る音量制御装置を備えた端末機器の一例を示す正面図である。（ｂ）は、（ａ）に示す端末機器からユーザが離れていく様子を示す図である。
【図３】本発明の一実施形態に係る音量制御装置の処理の一例を示すフローチャートである。
【発明を実施するための形態】
【０００９】
本発明の一実施形態に係る音量制御装置１は、音量制御装置１を備えた端末機器１０からユーザが離れた場合に、スピーカ５から出力される音量を自動的に変更するものである。なお、以下の特定の実施形態で説明する構成以外の構成については、必要に応じて説明を省略する場合があるが、他の実施形態で説明されている場合は、その構成と同じである。また、説明の便宜上、各実施形態に示した部材と同一の機能を有する部材については、同一の符号を付し、適宜その説明を省略する。
【００１０】
〔実施形態１〕
（音量制御装置を備える端末機器）
まず、音量制御装置１を備える端末機器１０について、図１および図２を参照して説明する。
【００１１】
図２の（ａ）は、本発明の一実施形態に係る音量制御装置（不図示）を備えた端末機器１０の一例を示す正面図である。端末機器１０は、例えば、スマートフォン、ＰＨＳ（Personal Handy phone System）、携帯電話、タブレットなどのような、携帯型の電子機器であってもよいし、ホームオーディオ機器のような据え置き型の電子機器であってもよい。以下の説明では、便宜上、端末機器１０をスマートフォンとして説明する。
【００１２】
ところで、端末機器１０を用いて音楽の再生を開始するとき、ユーザは端末機器１０を手に持って操作し、音楽の再生が開始された後では、ユーザは端末機器１０を机上などの任意の場所に置いて聴くことが多い。図２の（ｂ）は、（ａ）に示す端末機器１０からユーザ２０が離れていく様子を示す図である。図２の（ｂ）に示すように、ユーザが端末機器１０から離れた状況においても、音量制御装置１を備えた端末機器１０は、ユーザが音楽を聴きやすくなるように音楽再生時の音量を変更するものである。以下、この音量変更を実現するための構成について、より具体的に説明する。
【００１３】
図１は、本発明の一実施形態に係る音量制御装置１の一例を示すブロック図である。図１に示すように、音量制御装置１を備える端末機器１０は、離間検知部（離間検知手段）２、閉塞検知部３、記憶部４およびスピーカ５を備える。
【００１４】
離間検知部２は、端末機器１０からユーザが離れたことを検知するものである。例えば、離間検知部２は、ユーザが端末機器１０を把持していることを静電センサにより検知するグリップセンサで構成される。また、離間検知部２は、端末機器１０自体の加速度を検知する加速度センサで構成されてもよい。グリップセンサによってユーザが端末機器１０を把持していることが正しく検知されない場合、グリップセンサおよび加速度センサを併用することにより、離間検知部２は、端末機器１０からユーザが離れたことをより正確に検知できる。なお、閉塞検知部３の詳細については、実施形態２にて後述する。
【００１５】
音量制御装置１は、離間検知部２の検知内容に基づいて、スピーカ５から出力される音量を自動的に変更するものである。記憶部４は、音量を変更するための設定情報を記憶するものである。なお、音量制御装置１および記憶部４の詳細については、後述する。
【００１６】
スピーカ５は、音量制御装置１によって変更された音量で、音楽等を出力するものである。なお、端末機器１０はスピーカ５を備える構成に限定しない。例えば、スピーカ５を備えていない端末機器１０は、有線通信によってスピーカ５が外付けされる構成としてもよいし、無線通信によってスピーカ５と接続される構成としてもよい。
【００１７】
（音量制御装置）
次に、音量制御装置１について、図１を参照して説明する。図１に示すように、音量制御装置１は、離間判定部１１および音量変更部１２を備える。なお、音量制御装置１が備える閉塞判定部１３および方向検知部１４については、実施形態２にて後述する。また、音量制御装置１が備える距離測定部１５については、実施形態３にて後述する。
【００１８】
離間判定部（離間判定手段）１１は、離間検知部２によって検知された内容に基づいて、端末機器１０からユーザが離れたことを判定するものである。例えば、離間検知部２がグリップセンサによって構成される場合、離間検知部２は、ユーザが端末機器１０を把持していることを検知する。離間検知部２が、ユーザは端末機器１０を把持していることを検知している状態から、ユーザは端末機器１０を把持していることを検知していない状態に変化した場合、離間検知部２から離間判定部１１に出力される情報は、ユーザが端末機器１０を把持していることを示す情報から、ユーザが端末機器１０を把持していないことを示す情報に変化する。そして、この情報の変化を利用して、離間判定部１１は、端末機器１０からユーザが離れたことを判定する。
【００１９】
さらに、離間検知部２が加速度センサによって構成される場合、離間検知部２は、端末機器１０自体の加速度を検知する。離間検知部２によって検知された加速度について、所定時間における加速度の変化量（時間変化量）が、規定値よりも小さい場合、ユーザは端末機器１０を机上等に置き、端末機器１０から離れたものと考えられる。したがって、離間判定部１１は、離間検知部２によって検知された加速度について、加速度の時間変化量と予め設定された規定値とを比較し、当該時間変化量が規定値よりも小さい場合に、端末機器１０からユーザが離れたものと判定してもよい。
【００２０】
音量変更部（音量変更手段）１２は、離間判定部１１によって端末機器１０からユーザが離れたことが判定された場合に、記憶部４に記憶されている設定情報に基づいて、スピーカ５により出力される音量を変更するものである。
【００２１】
（音量の変更方法）
例えば、記憶部４に記憶されている設定情報が、音量変更部１２により変更される直前の音量に所定の音量を加算することを示すものである場合、音量変更部１２は、当該設定情報に基づいて、音量変更部１２により変更される直前の音量に所定の音量を加算した音量に変更する。より具体的には、音量変更部１２により変更される直前の音量が１０としてスピーカ５から出力されており、加算する音量が５として設定されている場合、音量変更部１２は、音量変更部１２により変更される直前の音量１０に所定の音量５を加算して、音量１５に変更する。なお、音量変更部１２により変更される直前の音量に加算する所定の音量は、デフォルト設定であってもよいし、ユーザにより予め設定された値であってもよい。
【００２２】
上記の構成によれば、音量変更部１２は、スピーカ５が出力する音量を、音量変更部１２により変更される直前の音量に対して所定の音量を加算した音量に変更する。これにより、ユーザが端末機器１０から離れた場合に、スピーカ５から出力される音量が自動的に増加することが可能となる。このため、ユーザは、端末機器１０を携帯することなく、スピーカ５から出力される音楽等を適切な音量で聴くことができる。
【００２３】
また例えば、記憶部４に記憶されている設定情報が、音量変更部１２により変更される直前の上記音量から、所定の音量に変更することを示すものである場合、音量変更部１２は、当該設定情報に基づいて、スピーカ５が出力する音量を、音量変更部１２により変更される直前の音量から所定の音量に変更する。より具体的には、音量変更部１２により変更される直前の音量が１０としてスピーカ５から出力されており、変更後の音量が７として設定されている場合、音量変更部１２は、スピーカ５が出力する音量１０を所定の音量７に変更する。なお、記憶部４に記憶されている、変更後の所定の音量は、デフォルト設定であってもよいし、ユーザにより予め設定された値であってもよい。
【００２４】
上記の構成によれば、音量変更部１２は、スピーカ５が出力する音量を、音量変更部１２により変更される直前の音量から、所定の音量に変更する。これにより、ユーザが端末機器１０から離れた場合に、音量変更部１２により変更される直前の音量に依存することなく、スピーカ５から出力される音量が自動的に変更されることが可能となる。このため、ユーザは、端末機器１０を操作することなく、予め設定された音量でスピーカ５から出力される音楽等を聴くことができる。
【００２５】
また、例えば、記憶部４に記憶されている設定情報が、音量変更部１２により変更される直前の音量に、所定の割合を乗算することを示すものである場合、音量変更部１２により変更される直前の音量に所定の割合を乗算した音量に変更する。より具体的には、音量変更部１２により変更される直前の音量が１０としてスピーカ５から出力されており、乗算する割合が１５０％として設定されている場合、音量変更部１２は、スピーカ５が出力する音量１０に、所定の割合１５０％を乗算して、音量１５に変更する。なお、音量変更部１２により乗算される所定の割合は、デフォルト設定であってもよいし、ユーザにより予め設定された値であってもよい。
【００２６】
上記の構成によれば、音量変更部１２は、スピーカ５が出力する音量を、音量変更部１２により変更される直前の音量に対して、所定の割合を乗算した音量に変更する。これにより、ユーザが端末機器１０から離れた場合に、スピーカ５から出力される音量が、音量変更部１２により変更される直前の音量を基準として、自動的に増加または減少することが可能となる。このため、ユーザは、端末機器１０を操作することなく、予め設定された音量でスピーカ５から出力される音楽等を聴くことができる。
【００２７】
なお、音量変更部１２によって音量が変更された後、スピーカ５から出力されている音量は、所定の時間中（例えば、５秒間）、時刻の経過に応じて、音量変更部１２によって変更された音量に徐々に変化されてもよい。
【００２８】
上記の構成によれば、ユーザが端末機器１０から離れて始めてから所定の時間中、スピーカ５から出力されている音量が徐々に変化する。このため、ユーザが端末機器１０からある程度離れるまで、スピーカ５から出力される音量が急激に変化することを防止することが可能となる。
【００２９】
（音量制御装置における処理）
次に、音量制御装置１の処理について、図３を参照して説明する。図３は、本発明の一実施形態に係る音量制御装置の処理の一例を示すフローチャートである。なお、本実施形態では、Ｓ１、Ｓ２、Ｓ５およびＳ８〜Ｓ１１の処理を行うものとする。その他の処理については、実施形態２または実施形態３にて後述する。
【００３０】
まず、離間判定部１１は、Ｓ１およびＳ２にて、端末機器１０からユーザが離れたことを判定する。離間判定部１１は、離間検知部２（グリップセンサ）の検知内容に基づいて、ユーザが端末機器１０を把持しているか否かを判定する（Ｓ１）。離間判定部１１が、ユーザは端末機器１０を把持していないと判定した場合（Ｓ１にてＮＯ）、離間判定部１１は、さらに離間検知部２（加速度センサ）の検知内容に基づいて、端末機器１０が静止しているか否かを判定する（Ｓ２）。なお、Ｓ１にてＹＥＳの場合、Ｓ１の処理を繰り返す。
【００３１】
離間判定部１１が、端末機器１０は静止していると判定した場合（Ｓ２にてＹＥＳ）、離間判定部１１は、端末機器１０からユーザが離れたことを判定する。なお、Ｓ２にてＮＯの場合、Ｓ２の処理を繰り返す。
【００３２】
なお、Ｓ１およびＳ２の処理の順序は、特に限定しない。また、Ｓ２の処理を省略して、離間判定部１１は、Ｓ１の処理のみにて、端末機器１０からユーザが離れたことを判定する構成としてもよい。
【００３３】
Ｓ２にてＹＥＳの後、音量変更部１２は、記憶部４に記憶されている設定情報に基づいて、スピーカ５が出力する音量を変更する（Ｓ５）。Ｓ５の後、スピーカ５は、Ｓ５にて変更された音量で、再生中の音楽等を出力する（Ｓ８）。なお、上述したように、Ｓ５の後、スピーカ５から出力されている音量は、所定の時間をかけて、音量変更部１２によって変更された音量に徐々に変化されてもよい（Ｓ８）。
【００３４】
そして、Ｓ９およびＳ１０にて、離間判定部１１は、端末機器１０からユーザが離れていないことを判定する。離間判定部１１は、離間検知部２（グリップセンサ）の検知内容に基づいて、ユーザが端末機器１０を把持しているか否かを判定する（Ｓ９）。離間判定部１１が、ユーザは端末機器１０を把持していると判定した場合（Ｓ９にてＹＥＳ）、離間判定部１１は、さらに離間検知部２（加速度センサ）の検知内容に基づいて、端末機器１０が静止しているか否かを判定する（Ｓ１０）。なお、Ｓ９にてＮＯの場合、Ｓ９の処理を繰り返す。
【００３５】
離間判定部１１が、端末機器１０は動いている（静止していない）と判定した場合（Ｓ１０にてＹＥＳ）、離間判定部１１は、端末機器１０からユーザが離れていないことを判定する。なお、Ｓ１０にてＮＯの場合、Ｓ１０の処理を繰り返す。
【００３６】
なお、Ｓ９およびＳ１０の処理の順序は、特に限定しない。また、Ｓ１０の処理を省略して、離間判定部１１は、Ｓ９の処理のみにて、端末機器１０からユーザが離れていないことを判定する構成としてもよい。
【００３７】
そして、Ｓ１０にてＹＥＳの後、音量変更部１２は、スピーカ５が出力する音量を、Ｓ５にて変更する前の音量に戻す（Ｓ１１）。
【００３８】
上記の構成によれば、ユーザが端末機器１０から離れた場合に、音量制御装置１は、スピーカ５により出力される音量を変更する。このため、ユーザに特段の制約を課すことなく再生中の音量を適切な音量に自動的に変更することが可能となる。
【００３９】
〔実施形態２〕
本発明の他の実施形態について、図１〜３を参照して説明する。本実施形態では、端末機器１０からユーザが離れた際（図２の（ｂ）参照）に、音楽等を出力しているスピーカ５の出力口（不図示）が塞がれている場合に、スピーカ５から出力される音量を自動的に増加するものである。例えば、机上に端末機器１０が置かれる際に、スピーカ５の出力口が机上面に接することが想定される。なお、スピーカ５の出力口は、図２の（ａ）にて示される面（表示面）とは反対側の面（背面）に設置されている構成とする。
【００４０】
（閉塞検知部および閉塞判定部）
本実施形態における音量制御装置１について、図１を参照して説明する。図１に示すように、端末機器１０は、実施形態１にて上述した構成（離間検知部２、記憶部４およびスピーカ５）に加えて、閉塞検知部３を備える構成であり、音量制御装置１は、実施形態１にて上述した構成（離間判定部１１および音量変更部１２）に加えて、閉塞判定部（閉塞判定手段）１３を備える構成である。
【００４１】
閉塞検知部３は、スピーカ５における音声の出力口が塞がれていることを検知するものである。例えば、閉塞検知部３は、スピーカ５における音声の出力口が設置されている面（端末機器１０の背面）と同一面に備えられているカメラ（不図示）により構成されてもよい。また、スピーカ５における音声の出力口の近傍に配置される近接センサ（不図示）等により構成されてもよい。
【００４２】
閉塞判定部１３は、閉塞検知部３によって検知された内容に基づいて、スピーカ５における音声の出力口が塞がれていることを判定するものである。例えば、閉塞検知部３がカメラによって構成される場合、閉塞検知部３によって検知された内容が、カメラによって撮影された画像一面が黒色であることを示す際に、閉塞判定部１３はスピーカ５における音声の出力口が塞がれていることを判定する。また例えば、閉塞検知部３が近接センサによって構成される場合、閉塞検知部３によって検知された内容が、スピーカ５における音声の出力口に物体が接していることを示す際に、閉塞判定部１３はスピーカ５における音声の出力口が塞がれていることを判定する。
【００４３】
音量変更部１２は、閉塞判定部１３によってスピーカ５の出力口が塞がれていると判定された場合に、記憶部４に記憶されている設定情報に基づいて変更した音量から、所定の音量に増加する。なお、閉塞判定部１３によってスピーカ５の出力口が塞がれていると判定された場合に、音量変更部１２によって増加される所定の音量は、任意の設定とする。
【００４４】
（閉塞検知部における処理）
次に、本実施形態における音量制御装置１の処理について、図３を参照して説明する。本実施形態では、実施形態１における処理（Ｓ１、Ｓ２、Ｓ５およびＳ８〜Ｓ１１）に加えて、Ｓ６およびＳ７の処理を行うものとする。
【００４５】
Ｓ５の後、閉塞判定部１３は、閉塞検知部３の検知内容に基づいて、スピーカ５の出力口が塞がれているか否かを判定する（Ｓ６）。閉塞判定部１３が、スピーカ５の出力口は塞がれていると判定した場合（Ｓ６にてＹＥＳ）、音量変更部１２は、Ｓ５にて変更した音量から、所定の音量に増加する（Ｓ７）。Ｓ７の後、スピーカ５は、Ｓ７にて変更された音量で、再生中の音楽等を出力する（Ｓ８）。
【００４６】
上記の構成によれば、スピーカ５の出力口が塞がれている場合、音量変更部１２は、スピーカ５により出力される音量を上げる。このため、ユーザは、端末機器１０を操作することなく、適切な音量でスピーカ５から出力される音楽等を聴くことができる。
【００４７】
〔変形例〕
本実施形態において、スピーカ５の出力口が向いている方向にユーザがいない場合、スピーカ５から出力される音量をさらに増加する構成としてもよい。
【００４８】
図１に示すように、音量制御装置１は、実施形態２の構成に加えて、方向検知部（方向検知手段）１４を備える構成としてもよい。方向検知部１４は、端末機器１０に備えられた各種センサ（不図示）に基づいて、スピーカ５の出力口が向いている方向を検知し、当該方向にユーザが存在するか否かを判定するものである。例えば、スピーカ５の出力口が設置されている面と同一面に備えられているカメラ（不図示）によって撮影された画像に人が存在しない場合、方向検知部１４は、スピーカ５の出力口が向いている方向にユーザが存在しないと判定する。
【００４９】
図３に示すように、音量制御装置１における処理は、実施形態２の処理に加えて、Ｓ３の処理を行ってもよい。Ｓ２にてＹＥＳの場合、方向検知部１４は、スピーカ５の出力口が向いている方向を検知し（Ｓ３）、当該方向にユーザが存在するか否かを判定する。Ｓ３の後、音量変更部１２は、記憶部４に記憶されている設定情報、および方向検知部１４の検知内容に基づいて、スピーカ５により出力される音量を変更する（Ｓ５）。例えば、方向検知部１４によって、スピーカ５の出力口が向いている方向にユーザが存在しないことが検知された場合、音量変更部１２は、記憶部４に記憶されている設定情報のみに基づいた音量よりも、スピーカ５が出力する音量を増加する（Ｓ５）。
【００５０】
上記構成によれば、スピーカ５の出力口が向いている方向にユーザが存在しない場合、音量変更部１２は、スピーカ５が出力する音量を増加する。このため、ユーザはスピーカ５の出力口の方向を意識することなく、スピーカ５から出力される音楽等を適切な音量で聴くことが可能となる。
【００５１】
〔実施形態３〕
本発明の他の実施形態について、図１〜３を参照して説明する。本実施形態では、端末機器１０からユーザが離れた場合（図２の（ｂ）参照）に、スピーカ５から出力される音量を、ユーザ２０と端末機器１０との距離に応じて自動的に調整するものである。
【００５２】
（距離測定部）
本実施形態における音量制御装置１について、図１を参照して説明する。図１に示すように、音量制御装置１は、実施形態１および実施形態２にて上述した構成に加えて、距離測定部（距離測定手段）１５を備える構成である。
【００５３】
距離測定部１５は、ユーザ２０と端末機器１０との距離を測定するものである。例えば、距離測定部１５は、近接センサ、カメラ、Bluetooth（登録商標）などにより構成される。距離測定部１５にBluetoothを用いる場合、Bluetooth PXPを通信プロファイルとして用いるとともに、距離測定部１５とペアリングされた機器をユーザが持つことにより、ユーザと端末機器１０との距離測定が実現される。なお、ユーザ距離測定部１５は、ユーザ２０と端末機器１０との距離を測定するものであれば種別を問わないが、ユーザ２０に端末機器１０と通信可能な機器を持たせない方が好ましい。
【００５４】
音量変更部１２は、距離測定部１５によって測定された距離に基づいて、スピーカ５から出力される音量を増加させてもよい。例えば、音量変更部１２によって増加される音量ｙを次式のように定義してもよい。なお、ｘはスピーカ５から出力されている元の音量であり、ｒはユーザ２０と端末機器１０との距離であり、αはスピーカ５や端末機器１０のサイズに影響される固有の値とする。
ｙ＝αｒ２ｘ      ・・・・・・・・・・（式１）
上記構成によれば、距離測定部１５によって測定された距離に対応する、音の減衰量が増加される。それゆえ、ユーザ２０が端末機器１０から離れたすぎたとしても、ユーザは適切な音量で音楽等を聴くことができる。
【００５５】
次に、本実施形態における音量制御装置１の処理について、図３を参照して説明する。本実施形態では、実施形態１および２における処理に加えて、Ｓ４の処理を行うものとする。Ｓ３の後、距離測定部１５は、ユーザ２０と端末機器１０との距離を測定する（Ｓ４）。Ｓ４の後、音量変更部１２は、Ｓ３にて検知された内容、Ｓ４にて測定された距離、および、記憶部４に記憶されている設定情報に基づいて、スピーカ５が出力する音量を変更する（Ｓ５）。
【００５６】
上記構成によれば、音量制御装置１は、ユーザと端末機器１０との距離応じて音量を調整する。このため、ユーザが端末機器１０から離れすぎたとしても、ユーザは適切な音量で、スピーカ５から出力される音楽等を聴くことができる。
【００５７】
〔変形例〕
本実施形態において、距離測定部１５により測定された距離が急激に大きく変化した場合、音量変更部１２はスピーカ５の音量を下げる構成としてもよい。例えば、電話機能を備える携帯端末を用いて、ユーザが電話をする必要が生じた場合、ユーザは端末機器１０から意図的に離れることが想定される。この場合、スピーカ５の音量が自動的に下がることにより、ユーザの意図を反映することが可能となる。それゆえ、ユーザは、端末機器１０を操作することなく、よりクリアな音声で通話することができる。
【００５８】
〔ソフトウェアによる実現例〕
音量制御装置１の制御ブロック（特に離間判定部１１、音量変更部１２、閉塞判定部１３、方向検知部１４および距離測定部１５）は、集積回路（ＩＣチップ）等に形成された論理回路（ハードウェア）によって実現してもよいし、ＣＰＵ（Central Processing Unit）を用いてソフトウェアによって実現してもよい。
【００５９】
後者の場合、音量制御装置１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００６０】
〔まとめ〕
本発明の態様１に係る音量制御装置（１）は、スピーカ（５）から出力される音量を制御する音量制御装置であって、上記音量制御装置が設けられた端末機器（１０）からユーザ（２０）が離れたことを判定する離間判定手段（離間判定部１１）と、上記離間判定手段によって上記端末機器からユーザが離れたことが判定された場合に、上記スピーカにより出力される音量を変更する音量変更手段（音量変更部１２）と、を備えている。
【００６１】
上記構成によれば、ユーザが端末機器から離れた場合に、音量制御装置は、スピーカにより出力される音量を変更する。このため、ユーザに特段の制約を課すことなく再生中の音量を適切な音量に自動的に変更することが可能となる。
【００６２】
本発明の態様２に係る音量制御装置は、上記態様１において、上記音量変更手段は、上記スピーカが出力する音量を、上記音量変更手段により変更される前の上記音量に対して所定の音量を加算した音量に変更してもよい。
【００６３】
上記の構成によれば、ユーザが端末機器から離れた場合に、スピーカから出力される音量が自動的に増加することが可能となる。このため、ユーザは、端末機器を携帯することなく、スピーカ５から出力される音楽等を適切な音量で聴くことができる。
【００６４】
本発明の態様３に係る音量制御装置は、上記態様１において、上記音量変更手段は、上記スピーカが出力する音量を、上記音量変更手段により変更される前の上記音量から、所定の音量に変更してもよい。
【００６５】
上記の構成によれば、ユーザが端末機器から離れた場合に、音量変更手段により変更される直前の音量に依存することなく、スピーカから出力される音量が自動的に変更されることが可能となる。このため、ユーザは、端末機器１０を操作することなく、予め設定された音量でスピーカから出力される音楽等を聴くことができる。
【００６６】
本発明の態様４に係る音量制御装置は、上記態様１において、上記音量変更手段は、上記スピーカが出力する音量を、上記音量変更手段により変更される前の上記音量に対して、所定の割合を乗算した音量に変更してもよい。
【００６７】
上記の構成によれば、ユーザが端末機器から離れた場合に、スピーカから出力される音量が、音量変更手段により変更される直前の音量を基準として、自動的に増加または減少することが可能となる。このため、ユーザは、端末機器を操作することなく、予め設定された音量でスピーカから出力される音楽等を聴くことができる。
【００６８】
本発明の態様５に係る音量制御装置は、上記態様１から４の何れか１態様において、上記音量制御装置は、上記スピーカにおける音声の出力口が塞がれていることを判定する閉塞判定手段（閉塞判定部１３）をさらに備え、上記閉塞判定手段によって、上記出力口が塞がれていると判定された場合に、上記音量変更手段は、上記スピーカにより出力される音量を上げてもよい。
【００６９】
上記の構成によれば、スピーカの出力口が塞がれている場合、音量変更手段は、スピーカにより出力される音量を上げる。このため、ユーザは、端末機器を操作することなく、適切な音量でスピーカから出力される音楽等を聴くことができる。
【００７０】
本発明の態様６に係る音量制御装置は、上記態様１から４の何れか１態様において、上記音量制御装置は、上記スピーカにおける音声の出力口が向いている方向を検知し、当該方向にユーザが存在するか否かを判定する方向検知手段（方向検知部１４）をさらに備え、上記方向検知手段によって、上記出力口が向いている方向にユーザが存在しないと判定された場合に、上記音量変更手段は、上記スピーカにより出力される音量を上げてもよい。
【００７１】
上記構成によれば、スピーカの出力口が向いている方向にユーザが存在しない場合、音量変更手段は、スピーカが出力する音量を増加する。このため、ユーザはスピーカの出力口の方向を意識することなく、スピーカから出力される音楽等を適切な音量で聴くことが可能となる。
【００７２】
本発明の態様７に係る音量制御装置は、上記態様１から６の何れか１態様において、上記音量制御装置は、上記ユーザと上記端末機器との距離を測定する距離測定手段（距離測定部１５）をさらに備え、上記音量変更手段は、上記距離測定手段により測定された距離に応じて音量を調整してもよい。
【００７３】
上記構成によれば、音量制御装置は、ユーザと端末機器との距離応じて音量を調整する。このため、ユーザが端末機器から離れすぎたとしても、ユーザは適切な音量で、スピーカから出力される音楽等を聴くことができる。
【００７４】
本発明の態様８に係る端末機器は、上記端末機器からユーザが離れたことを検知する離間検知手段と、上記態様１から７の何れか１態様に記載の音量制御装置と、を備えている。
【００７５】
上記構成によれば、上記態様１から７の何れか１態様と同様の効果を奏する。
【００７６】
本発明の各態様に係る音量制御装置は、コンピュータによって実現してもよく、この場合には、コンピュータを上記音量制御装置が備える各手段として動作させることにより上記音量制御装置をコンピュータにて実現させる音量制御装置の制御プログラム、およびそれを記録したコンピュータ読み取り可能な記録媒体も、本発明の範疇に入る。
【００７７】
上記構成によれば、上記態様１から７のいずれか１態様と同様の効果を奏する。
【００７８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００７９】
本発明は、スマートフォン、ＰＨＳ、携帯電話、タブレットなどのような携帯型の電子機器や、ホームオーディオ機器のような据え置き型の電子機器のスピーカから出力される音量を制御するために利用することができる。
【符号の説明】
【００８０】
１    音量制御装置
１０  端末機器
１１  離間判定部（離間判定手段）
１２  音量変更部（音量変更手段）
１３  閉塞判定部（閉塞判定手段）
１４  方向検知部（方向検知手段）
１５  距離測定部（距離測定手段）
２    離間検知部（離間検知手段）
３    閉塞検知部
４    記憶部
５    スピーカ
【図１】
2015207826.tif 000003
【図２】
2015207826.tif 000004
【図３】
2015207826.tif 000005